(57)【要約】【課題】点灯中の昇温に伴う発光効率の低下を抑制可能な無電極蛍光ランプを提供する。【解決手段】透光性材料からなり内部に気体が気密封止された少なくとも外殻部３と該外殻部３の内側に落ち窪んだ凹部４とを備えたバルブ２と、該バルブ２の放電空間において前記気体を励起して放電ガスにするため凹部４内に収められた誘導コイル２３と、バルブ２における前記内部側の表面に前記放電ガスから放射される紫外線によって励起され発光する発光層と、を有する無電極蛍光ランプ１であり、前記発光層の少なくとも一部は、バルブ２の前記表面側から前記放電ガス側にかけて、温度消光が生ずる温度がより高い蛍光体被膜６１，６２，６３を順に備えた多層構造の発光層６としている。【選択図】図１
2010198878.tif 000002
【特許請求の範囲】
【請求項１】
透光性材料からなり内部に気体が気密封止された少なくとも外殻部と該外殻部の内側に落ち窪んだ凹部とを備えたバルブと、該バルブの放電空間において前記気体を励起して放電ガスにするため前記凹部内に収められた誘導コイルと、前記バルブにおける前記内部側の表面に前記放電ガスから放射される紫外線によって励起され発光する発光層と、を有する無電極蛍光ランプであって、
前記発光層の少なくとも一部は、２層以上の蛍光体被膜からなり、前記バルブの前記表面側から前記放電ガス側にかけて、温度消光が生ずる温度がより高い蛍光体被膜を順に備えた多層構造であることを特徴とする無電極蛍光ランプ。
【請求項２】
前記多層構造の前記発光層は、前記バルブの内部であって、前記凹部における前記誘導コイル側と対向する前記表面と、前記放電空間を介して前記誘導コイル側と対向する前記外殻部の前記表面に設けてなることを特徴とする請求項１に記載の無電極蛍光ランプ。
【請求項３】
前記多層構造の前記発光層は、前記バルブの内部であって、前記凹部の前記表面に設けてなることを特徴とする請求項１に記載の無電極蛍光ランプ。
【請求項４】
前記多層構造の前記発光層は、前記バルブの内部であって、前記放電空間を介して前記誘導コイル側と対向する前記外殻部の前記表面に設けてなることを特徴とする請求項１に記載の無電極蛍光ランプ。
【請求項５】
前記多層構造の前記発光層は、最も低い温度で温度消光が生じる蛍光体被膜と、最も高い温度まで温度消光を起こしにくい蛍光体被膜との間に断熱層が設けられたことを特徴とする請求項１ないし請求項４のいずれか１項に記載の無電極蛍光ランプ。
【請求項６】
前記多層構造の前記発光層は、前記バルブの前記表面側から前記放電ガス側にかけて、三価のセリウムとテルビウムにより活性化されたリン酸ランタンを有する第一の蛍光体被膜と、二価のユーロピウムにより活性化されたバリウムマグネシウムアルミン酸塩を有する第二の蛍光体被膜と、三価のユーロピウムにより活性化された酸化イットリウムを有する第三の蛍光体被膜と、を備えてなることを特徴とする請求項１ないし請求項５のいずれか１項に記載の無電極蛍光ランプ。
【請求項７】
請求項１ないし請求項６のいずれか１項に記載の無電極蛍光ランプと、該無電極蛍光ランプを点灯させる点灯装置とを備えたことを特徴とする照明器具。
【発明の詳細な説明】
【技術分野】
【０００１】
本発明は、無電極蛍光ランプおよびそれを用いた照明器具に関するものである。
【背景技術】
【０００２】
従来から、無電極蛍光ランプの一例として、ガラスなどの透光性材料からなり内部に気体が気密封止された少なくとも外殻部と該外殻部の内側に落ち窪んだ凹部とを備えたバルブと、該バルブの放電空間において前記気体を励起して放電ガスにするため前記凹部内に収められた誘導コイルと、前記バルブにおける前記内部側の表面に前記放電ガスから放射される紫外線によって励起され発光する発光層と、を有するものが知られている。
【０００３】
この無電極蛍光ランプでは、前記誘導コイルに高周波電流を流すことにより前記バルブ内の放電空間に誘導電磁界を発生させ、その誘導電磁界で前記バルブ内に封入してある前記気体が励起されて前記放電ガスとなる。ここで、前記気体として希ガスおよび水銀蒸気を用いた場合、前記希ガスが放電し前記水銀蒸気を励起する。励起された水銀蒸気は、励起状態から基底状態に戻るときに紫外線を発する。この紫外線が前記発光層の蛍光体にあたり波長変換され、前記発光層の前記蛍光体から可視光が放射される。
【０００４】
この種の無電極蛍光ランプは、透光性材料からなる気密容器内にフィラメントを配置した一般的な蛍光ランプ（無電極蛍光ランプと区別するために、以下では有電極蛍光ランプという）のようにフィラメントの断線に起因する不灯が原理的に生じることもなく、長寿命にすることができる。
【０００５】
しかしながら、無電極蛍光ランプは、放電による励起水銀および水銀イオンと前記発光層の前記蛍光体との衝突で、水銀が前記蛍光体と化学反応を起こし前記蛍光体の劣化が生じやすいと考えられている。特に、上述の無電極蛍光ランプの構成では、通電される前記誘導コイルが前記凹部に収納されていることから、ランプ点灯時に前記放電空間において前記誘導コイルが近接する側に電界が集中し、前記バルブにおける前記内部側の前記表面のうち、前記凹部の前記表面に形成された前記発光層が、前記外殻部の前記表面に形成された前記発光層よりも劣化しやすい。
【０００６】
ところで、前記発光層の前記蛍光体に、いわゆる希土類３波長型蛍光体を用いて演色性の高い白色の光を放出させた無電極蛍光ランプを形成する場合、前記蛍光体には、例えば、青色の光を放出する青色蛍光体として、二価のユーロピウムにより活性化されたバリウムマグネシウムアルミン酸塩〔Ｂａ２Ｍｇ２Ａｌ１６Ｏ２７：Ｅｕ２＋〕（以下、ＢＡＭ蛍光体という）を、緑色の光を放出する緑色蛍光体として、三価のセリウムとテルビウムにより活性化されたリン酸ランタン〔ＬａＰＯ４：Ｃｅ，Ｔｂ〕（以下、ＬＡＰ蛍光体という）を、赤色の光を放出する赤色蛍光体として、三価のユーロピウムにより活性化された酸化イットリウム〔Ｙ２Ｏ３：Ｅｕ３＋〕（以下、ＹＯＸ蛍光体という）の３種類を用いることができる。これらの蛍光体を混合して結着材で結着させることで前記無機蛍光ランプの前記発光層を形成させることができる。
【０００７】
しかしながら、このような前記発光層に用いられる３種類の前記蛍光体は、それぞれ劣化特性も異なる。その組成にもよるが、特に青色の光を発光するＢＡＭ蛍光体の劣化が著しい。このような観点から、前記凹部の前記表面に形成される前記発光層においては、もともと劣化の大きいＢＡＭ蛍光体はできるだけ用いないことが望ましい。
【０００８】
そのような観点から図６に示すように、透光性材料からなり内部に放電ガスとなる気体が封入された外殻部３と該外殻部３の内側に落ち窪んだ凹部４とを備えたバルブ２’と、該バルブ２’の内部側の表面に形成された蛍光体を有する発光層６’と、フェライトコア２２の外周に巻回されて凹部４内に収納される誘導コイル２３を備えたパワーカプラ部２０’と、を有し、発光層６’は、外殻部３における第一の発光層６’ｂと、前記凹部４における前記バルブ２’の前記内部側に設けられた第二の発光層６’ａからなり、該第二の発光層６’ａには、最も劣化の大きい蛍光体（例えば、ＢＡＭ蛍光体）を用いない構成の無電極蛍光ランプ１’が提案されている（例えば、特許文献１。）。
【０００９】
これにより、無電極蛍光ランプ１’の経時劣化が最も大きいＢＡＭ蛍光体を、劣化が比較的起こりやすい凹部４におけるバルブ２’の前記内部側の発光層６’から排除することにより、無電極蛍光ランプ１’の経時劣化における色変化を抑制することができる。なお、図６中において、誘導コイル２３は、ハウジング１３に収納された給電ワイヤ１１，１２を介して電源ユット３４’と電気的に接続可能に構成されている。
【先行技術文献】
【特許文献】
【００１０】
【特許文献１】特許第２８８７４１０号公報
【発明の概要】
【発明が解決しようとする課題】
【００１１】
しかしながら、この無電極蛍光ランプ１’では、プラズマ放電に起因する発光層６’の劣化しか着目されていない。例えば、無電極蛍光ランプ１’は、バルブ２’の内部の放電空間に誘導電磁界を効率よく付与するため、できるだけバルブ２’における凹部４の表面に近接して誘導コイル２３を配置することが有効であり、誘導コイル２３が近接した凹部４の表面は、誘導コイル２３の昇温にともなって高温になる傾向にある。これは、凹部４の内部に誘導コイル２３が収納されるため、凹部４の放熱性が悪くなることにも起因していると考えられる。
【００１２】
また、誘導コイル２３により発生する誘導電磁界は、誘導コイル２３に近いほど電磁界の強度が強く、バルブ２’の内部で生起される放電ガスのプラズマは誘導コイル２３に近い凹部４の近傍に集中し高温になりやすい。特に、凹部４における誘導コイル２３側は、フェライトコア２２の内部に配置させた放熱パイプ（図示せず）を介して除熱することも可能であるものの、凹部４の放電ガス側を放熱させることは難しい。
【００１３】
この結果、通常の有電極ランプの発光層が形成された領域と比較して、無電極蛍光ランプ１’の凹部４は非常に高温になり、凹部４の一部が１５０℃〜２００℃を越えるような温度になることもある。無電極蛍光ランプ１’の点灯中に前記発光層における蛍光体の温度が上昇すると、当該蛍光体の輝度が減少する温度消光が生じ、無電極蛍光ランプ１’の発光効率が低下することになるという問題がある。したがって、上記特許文献１の構成では、温度消光による効率低下を抑制することはできない。
【００１４】
本発明は上記事由に鑑みて為されたものであり、点灯中の昇温に伴う発光効率の低下を抑制可能な無電極蛍光ランプおよびそれを用いた照明器具を提供することにある。
【課題を解決するための手段】
【００１５】
請求項１の発明は、透光性材料からなり内部に気体が気密封止された少なくとも外殻部と該外殻部の内側に落ち窪んだ凹部とを備えたバルブと、該バルブの放電空間において前記気体を励起して放電ガスにするため前記凹部内に収められた誘導コイルと、前記バルブにおける前記内部側の表面に前記放電ガスから放射される紫外線によって励起され発光する発光層と、を有する無電極蛍光ランプであって、前記発光層の少なくとも一部は、２層以上の蛍光体被膜からなり、前記バルブの前記表面側から前記放電ガス側にかけて、温度消光が生ずる温度がより高い蛍光体被膜を順に備えた多層構造であることを特徴とする。
【００１６】
この発明によれば、前記発光層の少なくとも一部が、２層以上の前記蛍光体被膜からなり、前記バルブの前記表面側から前記放電ガス側にかけて、温度消光が生ずる温度がより高い前記蛍光体被膜を順に備えた多層構造とすることにより、蛍光体の温度消光（蛍光体の温度が上昇すると当該蛍光体のルミネッセンスの効率が減少する現象）にともなう、無電極蛍光ランプにおける発光効率の低下を抑制することができる。
【００１７】
請求項２の発明は、請求項１の発明において、前記多層構造の前記発光層は、前記バルブの内部であって、前記凹部における前記誘導コイル側と対向する前記表面と、前記放電空間を介して前記誘導コイル側と対向する前記外殻部の前記表面に設けてなることを特徴とする。
【００１８】
この発明によれば、無電極蛍光ランプの点灯中に放電ガスによって高温に晒される前記バルブの前記外殻部と前記凹部の特定箇所だけ前記発光層を特定の多層構造とすることにより、前記無電極蛍光ランプの発光効率の低下を防ぐことができる。
【００１９】
請求項３の発明は、請求項１の発明において、前記多層構造の前記発光層は、前記バルブの内部であって、前記凹部の前記表面に設けてなることを特徴とする。
【００２０】
この発明によれば、前記バルブにおける前記凹部の前記発光層を特定の前記多層構造とするだけで、前記無電極蛍光ランプの発光効率の低下を防ぐことができる。また、前記多層構造の前記発光層の面積が小さいことから均一に形成しやすく、前記無電極蛍光ランプから放出される光に色ムラが生ずることを抑制することもできる。
【００２１】
請求項４の発明は、請求項１の発明において、前記多層構造の前記発光層は、前記バルブの内部であって、前記放電空間を介して前記誘導コイル側と対向する前記外殻部の前記表面に設けてなることを特徴とする。
【００２２】
この発明によれば、前記無電極蛍光ランプの点灯中に、前記放電空間を介して前記誘導コイル側と対向する前記外殻部の前記表面の前記発光層を特定の前記多層構造とすることにより、前記無電極蛍光ランプの発光効率の低下を防ぐことができる。また、前記多層構造の前記発光層の面積が小さいことから均一に形成しやすく、前記無電極蛍光ランプから放出される光の色ムラの影響を小さくすることができる。
【００２３】
請求項５の発明は、請求項１ないし請求項４のいずれか１に記載の発明において、前記多層構造の前記発光層は、最も低い温度で温度消光が生じる蛍光体被膜と、最も高い温度まで温度消光を起こしにくい蛍光体被膜との間に断熱層が設けられたことを特徴とする。
【００２４】
この発明によれば、前記断熱層を設けることにより、最も低い温度で温度消光が生じる前記蛍光体被膜が昇温することをさらに抑制し、前記無電極蛍光ランプの発光効率の低下を低減させることができる。
【００２５】
請求項６の発明は、請求項１ないし請求項５のいずれか１項に記載の発明において、前記多層構造の前記発光層は、前記バルブの前記表面側から前記放電ガス側にかけて、三価のセリウムとテルビウムにより活性化されたリン酸ランタンを有する第一の蛍光体被膜と、二価のユーロピウムにより活性化されたバリウムマグネシウムアルミン酸塩を有する第二の蛍光体被膜と、三価のユーロピウムにより活性化された酸化イットリウムを有する第三の蛍光体被膜と、を備えてなることを特徴とする。
【００２６】
この発明によれば、前記第三の蛍光体被膜における三価のユーロピウムにより活性化された酸化イットリウムの発光効率を向上するとともに、前記第一の蛍光体被膜における三価のセリウムとテルビウムにより活性化されたリン酸ランタンの温度消光を低減させることができ、より発光効率の低下を抑制した前記無電極蛍光ランプとすることができる。
【００２７】
請求項７の発明は、請求項１ないし請求項６のいずれか１項に記載の無電極蛍光ランプと、該無電極蛍光ランプを点灯させる点灯装置とを備えた照明器具であることを特徴とする。
【００２８】
この発明によれば、点灯中の昇温に伴う発光効率の低下を抑制可能な無電極蛍光ランプを備えた照明器具とすることで、よりエネルギー効率の高い照明器具とすることができる。
【発明の効果】
【００２９】
請求項１の発明では、発光層の少なくとも一部が、２層以上の蛍光体被膜からなり、バルブの表面側から放電ガス側にかけて、温度消光が生ずる温度がより高い蛍光体被膜を順に備えた多層構造の発光層とする無電極蛍光ランプにより、蛍光体の温度消光にともなう無電極蛍光ランプの発光効率の低下を抑制することができるという効果がある。
【００３０】
請求項７の発明では、請求項１ないし請求項６のいずれか１項に記載の無電極蛍光ランプと、該無電極蛍光ランプを点灯させる点灯装置とを備えた照明器具とすることで、よりエネルギー効率の高い照明器具とすることができるという効果がある。
【図面の簡単な説明】
【００３１】
【図１】実施形態１の無電極蛍光ランプを示し、（ａ）は要部概略断面図、（ｂ）は概略断面図である。
【図２】実施形態２の無電極蛍光ランプの概略断面図である。
【図３】実施形態３の無電極蛍光ランプの概略断面図である。
【図４】実施形態４の無電極蛍光ランプの要部概略断面図である。
【図５】実施形態５の照明器具の概略斜視図である。
【図６】従来の無電極蛍光ランプの概略断面図である。
【発明を実施するための形態】
【００３２】
（実施形態１）
以下、本実施形態の無電極蛍光ランプについて図１を用いて説明する。
【００３３】
本実施形態の無電極蛍光ランプ１は、図１（ｂ）に示すように透光性材料からなり内部に気体が気密封止された少なくとも外殻部３と該外殻部３の内側に落ち窪んだ凹部４とを備えたバルブ２と、該バルブ２の放電空間において前記気体を励起して放電ガスにするため前記凹部４内に収められた誘導コイル２３と、前記バルブ２における前記内部側の表面に前記放電ガスから放射される紫外線によって励起され発光する発光層と、を有する。
【００３４】
前記発光層の少なくとも一部は、図１（ａ）に示すように多層構造の発光層６であって、前記バルブ２の前記表面側から前記放電ガス側にかけて、温度消光が生ずる温度がより高くなるようにＬＡＰ蛍光体を有する第一の蛍光体被膜６１と、ＢＡＭ蛍光体を有する第二の蛍光体被膜６２と、ＹＯＸ蛍光体を有する第三の蛍光体被膜６３を順に備えている。
【００３５】
以下、本実施形態の各構成について詳述する。
【００３６】
本実施形態の基本構成として、無電極蛍光ランプ１は、透光性材料（ガラス等）によって形成したバルブ２、バルブ２の底に取り付けた略円筒形の口金９で構成するランプ部１０と、高周波電流が通電されることによりバルブ２内に誘導電磁界を発生させる誘導コイル２３を有しランプ部１０に結合されるパワーカプラ部２０と、を備えている。
【００３７】
ランプ部１０を構成するバルブ２は、全体として電球形状をしており、外殻部３と、該外殻部３の内側に窪んだ凹部４と、該凹部４内の底面から該凹部４内に立設した管状部５とから構成し、内部には希ガス（アルゴンやクリプトン等）や水銀蒸気などの気体を封入してある。また、バルブ２における内部側の表面には、アルミナ等の金属酸化物からなる保護膜（図示せず）を形成し、該保護膜上には発光層として励起された水銀が放出する紫外線を可視光に変換するための蛍光体が結着剤により固定された蛍光体被膜が形成されている。保護膜は、バルブ２のガラス成分が当該バルブ２の内部側へ溶出するのを防ぎ、ガラス成分と水銀の化学反応による光透過率の低下を防止するために好適に設けることができる。
【００３８】
外殻部３は、主となる発光部位で、球状の部分３ａと円筒状の部分３ｂとが連続して形成してある。また上述の円筒状部分３ｂの外周には、口金９を固定するための係止溝３ｃを形成してある。
【００３９】
凹部４は、凹部４のフランジ部４ａと外殻部３における円筒状の部分３ｂとが溶接され、円筒状の部分３ｂの端から外殻部３の内側に落ち窪んだ円筒状に形成され、窪みの底で底面を形成してある。
【００４０】
管状部５は、凹部４の円筒よりも細い円筒状に形成しており、軸方向の一端部を凹部４内の前記底面の中央部に立設し、その内部空間は外殻部３の内側と凹部４の外側で囲んだ放電空間と連通してある。管状部５は、バルブ２の内部を排気するための排気管を用いて形成したものであって、他端部が凹部４の外部に引き出され、バルブ２の内部を排気しアルゴンガスなどの気体を導入した後、管状部５内にアマルガムが収納された容器８を収め管状部５の前記他端部を封止してバルブ２を気密密封してある。
【００４１】
また、管状部５の内壁には、管状部５の開口部を有する前記一端部側に、内方に突起する突起部５ａを形成しており、容器８を突起部５ａと管状部５内に配置された円柱状の棒７で保持している。突起部５ａはバルブ２の相対的に温度の高い位置として、後述の誘導コイル２３の内側でバルブ２内の略中心部の位置に設けることが好ましい。
【００４２】
アマルガムが収納された容器８は、中空の円筒容器形状に形成した金属材料（例えば、ＦｅＮｉ合金）からなる容器８であり、容器８の内部に前記放電空間に水銀蒸気を供給する粒子状のアマルガムが収納されている。アマルガムは、例えばビスマスとインジウムとの合金からなる基体金属に水銀を含有させたものである。この水銀を含有するアマルガムを使用することにより、水銀単体を使用した場合に比較して、広い温度範囲でバルブ２内の水銀蒸気圧を略一定に保つことができる。また、容器８の長手方向の外周壁には水銀蒸気が出入り可能であるとともに、アマルガムの脱落を防止可能な孔を複数貫設してある（図示しない）。
【００４３】
ランプ部１０を構成する口金９は、樹脂材等により両端が開口する円筒状に形成し、内周面には、内側に突出する係合突起９ａを設け、当該係合突起９ａはバルブ２の係止溝３ｃに係止してある。
【００４４】
一方、上述のパワーカプラ部２０は、ＡｌやＣｕなどの熱伝導性材料により形成されランプ部１０の管状部５が挿入される円筒状の放熱パイプ２１と、放熱パイプ２１の軸方向の一端部側が挿着された円筒状のシリンダ２４と、円筒状の放熱パイプ２１と円筒状のシリンダ２４とを支持する外鍔部２５と、放熱パイプ２１の他端部側で放熱パイプ２１に外装されたフェライトコア２２と、フェライトコア２２に巻回された誘導コイル２３とを備えている。このパワーカプラ部２０は、シリンダ２４の大部分、放熱パイプ２１の大部分、フェライトコア２２、誘導コイル２３がランプ部１０の凹部４内に収納され誘導コイル２３が管状部５の軸方向に沿って巻回されている。
【００４５】
ここで、フェライトコア２２としては、高温下でも飽和せず安定したインピーダンスを維持するように、例えば、キュリー温度が２５０℃以上、飽和磁束密度が０．５Ｔ以上のＭｎＺｎフェライトを好適に用いることができる。
【００４６】
次に、本実施形態の無電極蛍光ランプ１における発光層について詳述する。
【００４７】
本実施形態の発光層のうち多くの発光層は、後述する３種類の蛍光体（ＹＯＸ蛍光体、ＬＡＰ蛍光体、ＢＡＭ蛍光体）を混合して、バルブ２における外殻部３と凹部４の表面に形成させているが（図示しない）、前記発光層の少なくとも一部については、図１（ｂ）に示すように複数種類の混合させた蛍光体を用いた蛍光体被膜を形成することなく特定の多層構造となる発光層６に形成してある。
【００４８】
すなわち、上述したように無電極蛍光ランプ１は、バルブにおける特定の部位の温度が非常に高くなる。無電極蛍光ランプ１に、例えば、１５０Ｗの高周波電力を加えたとき、バルブ２の凹部４における誘導コイル２３が配置された略中央部、凹部４の口金９の近傍部およびバルブ２の外殻部３における最大径部の表面の温度を下記の表に示す。
【００４９】
【表１】
2010198878.tif 000003
【００５０】
この表からもわかるように、凹部４における誘導コイル２３が配置された前記略中央部の温度は、２１４℃であり、凹部４における口金９の近傍部の温度７２℃、外殻部３における最大径部の温度１０５℃と比較して高くなっている。
【００５１】
本実施形態の多層構造の発光層６は、それぞれ異なる種類の蛍光体が結着材で覆われた複数の蛍光体被膜６１，６２，６３を積層しており、バルブ２の表面側から放電ガス側にかけて、温度消光が生ずる温度がより高い蛍光体被膜６１，６２，６３を順に備えている。
【００５２】
このような蛍光体被膜６１，６２，６３に用いられる蛍光体を用いて白色発光可能な無電極蛍光ランプ１とするには、例えば、青色の光を放出する青色蛍光体の材料は、二価のユーロピウムにより活性化されたバリウムマグネシウムアルミン酸塩〔Ｂａ２Ｍｇ２Ａｌ１６Ｏ２７：Ｅｕ２＋〕としてＢＡＭ蛍光体を用いることができる。また、緑色の光を放出する緑色蛍光体の材料は、三価のセリウムとテルビウムにより活性化されたリン酸ランタン〔ＬａＰＯ４：Ｃｅ，Ｔｂ〕としてＬＡＰ蛍光体を用いることができる。赤色の光を放出する赤色蛍光体の材料としては、三価のユーロピウムにより活性化された酸化イットリウム〔Ｙ２Ｏ３：Ｅｕ３＋〕としてＹＯＸ蛍光体を用いることができる。
【００５３】
このような赤色蛍光体、緑色蛍光体および青色蛍光体の材料を用いた３波長型蛍光ランプにおいて、ＬＡＰ蛍光体は２００℃以上の高温で著しく発光効率が低下（温度消光）し、ＹＯＸ蛍光体は、ＢＡＭ蛍光体やＬＡＰ蛍光体に比べて温度消光が生ずる温度が高く、高温側で発光効率が高い傾向にある。
【００５４】
本実施形態においては、特定の多層構造の発光層６をバルブ２の内部であって、凹部４における誘導コイル２３側と対向する表面と、放電空間を介して誘導コイル２３側と対向する外殻部３の表面に設けている。より具体的には、図１（ａ）に示すように、バルブ２の表面側から放電ガス側にかけて温度消光が生ずる温度がより高くなる、ＬＡＰ蛍光体からなる緑色蛍光体を有する第一の蛍光体被膜６１と、ＢＡＭ蛍光体からなる青色蛍光体を有する第二の蛍光体被膜６２と、ＹＯＸ蛍光体からなる赤色蛍光体を有する第三の蛍光体被膜６３を順に備えている。これによって、ＢＡＭ蛍光体を有する第二の蛍光体被膜６２に対してバルブ２の表面側に、より温度消光を起こしやすいＬＡＰ蛍光体を有する第一の蛍光体被膜６１、放電ガス側が、より温度消光を起こしがたいＹＯＸ蛍光体を有する第三の蛍光体被膜６３となる多層構造の発光層６にさせ、ＬＡＰ蛍光体の温度消光を防ぎつつＹＯＸ蛍光体の発光効率も向上する無電極蛍光ランプ１にすることができる。
【００５５】
（実施形態２）
本実施形態の無電極蛍光ランプ１の基本構成は、実施形態１と略同一であり、図２に示すように特定の多層構造とした発光層６を、バルブ２の内部であって、凹部４における誘導コイル２３側と対向する表面側に設け、放電空間を介して誘導コイル２３側と対向する外殻部３の表面に設けていない点が相違する。なお、実施形態１と同様の構成要素には、同一の符号を付して説明を適宜省略する。
【００５６】
実施形態１に示す無電極蛍光ランプ１は、多層構造の発光層６として、３つの蛍光体被膜６１，６２，６３からそれぞれ発光された緑色の光、青色の光および赤色の光を混色させた白色などの混色光を得るものであり、これにより発光効率の低下を抑制可能なものの、バルブ２における表面積の大きい外殻部３に各蛍光体被膜６１，６２，６３をそれぞれ均一な膜厚で多層構造に形成させることは難い。
【００５７】
本実施形態の無電極蛍光ランプ１では、バルブ２の外殻部３の発光層は３つの赤色蛍光体、緑色蛍光体および青色蛍光体を混合して塗布して発光層を形成する一方、外殻部３よりも表面積の小さい凹部４における誘導コイル２３側と対向する表面側にだけ特定の多層構造の発光層６としている。これにより、比較的均一な膜厚で特定の多層構造の発光層６を形成することができ、温度消光にともなう発光効率の低下を抑制することができる。
【００５８】
（実施形態３）
本実施形態の無電極蛍光ランプ１の基本構成は、実施形態２と略同一であり、図３に示すように特定の多層構成とした発光層６を、バルブ２の内部であって、凹部４における誘導コイル２３側と対向する表面側だけに設けたものから、凹部４の側壁の表面全体にわたって設けた点が相違する。なお、実施形態２と同様の構成要素には、同一の符号を付して説明を適宜省略する。
【００５９】
本実施形態においては、凹部４の表面における発光層のみ多層構造としている。
【００６０】
凹部４に特定の多層構造の発光層６を形成させるためには、結着剤中に蛍光体を含有させたスラリー溶液中に凹部４となる材料を浸して形成する。そのため、実施形態２のごとく一部分にのみ多層構造の発光層６を形成することは難しく、凹部４全体を多層塗布することにより比較的簡単に各蛍光体被膜６１，６２，６３が均一な膜厚からなる多層構造の発光層６を形成することができる。なお、凹部４の側壁だけでなく底面の表面にも特定の多層構造の発光層６を形成させる方がより簡便に形成させることができる。
【００６１】
また、各蛍光体被膜６１，６２，６３に用いられる蛍光体を混合して、別途に外殻部３の表面に塗布形成させる。
【００６２】
次に、多層構造の発光層６が形成された凹部４のフランジ部４ａを、外殻部３における円筒状の部分３ｂと溶接することで、円筒状の部分３ｂの端から外殻部３の内側に落ち窪んだ円筒状に形成されたバルブ２の形状とすることができる。
【００６３】
このようなバルブ２を用いることで、本実施形態の無電極蛍光ランプ１は、比較的簡単な構成で温度消光にともなう発光効率の低下を抑制することができる。
【００６４】
（実施形態４）
本実施形態の無電極蛍光ランプ１の基本構成は、先の実施形態１〜３と共通であるので、特徴となる部分について図４に基づいて説明する。なお、実施形態１〜３と同様の構成要素には、同一の符号を付して説明を適宜省略する。
【００６５】
本実施形態の無電極蛍光ランプ１は、特定の多層構造の発光層６が、最も低い温度で温度消光が生じる第一の蛍光体被膜６１と、最も高い温度まで温度消光を起こしにくい第三の蛍光体被膜６３との間に断熱層１５を設けることにより、最も低い温度で温度消光が生じる第一の蛍光体被膜６１をより低温に維持することが可能としたものである。
【００６６】
より具体的には、図４に示すように、バルブ２の表面側から放電ガス側にかけて温度消光が生ずる温度がより高くなる、ＬＡＰ蛍光体からなる緑色蛍光体を有する第一の蛍光体被膜６１と、ＢＡＭ蛍光体からなる青色蛍光体を有する第二の蛍光体被膜６２と、ＹＯＸ蛍光体からなる赤色蛍光体を有する第三の蛍光体被膜６３を順に備え、最も温度消光を起こしにくい第三の蛍光体被膜６３におけるバルブ２の表面側に断熱層１５を設けてある。これにより、温度消光が生ずる温度が最も低い第一の蛍光体被膜６１の昇温を抑制し、温度消光に起因する発光効率の低下を防ぐことが可能となる。このような断熱層１５の材料としては、シリカ（ＳｉＯ２）やチタニア（ＴｉＯ２）などの金属酸化物を用いることができる。
【００６７】
（実施形態５）
本実施形態の照明器具は、図５に示すように実施形態１〜４に記載された無電極蛍光ランプ１を用いて照明器具３０を構成している。なお、各実施形態と同様の構成要素には、同一の符号を付して説明を適宜省略する。
【００６８】
この照明器具３０は、上記実施形態１〜４に記載された無電極蛍光ランプ１を内部に収納し、該無電極蛍光ランプ１から放射された光を光取り出し面側に効率よく反射する碗形状の反射板３１と、該反射板３１の光取り出し面側に設けられた前面パネル３２で密閉されている。また、無電極蛍光ランプ１は、当該無電極蛍光ランプ１を点灯させるために、商用電源（図示しない）からの電力を無電極蛍光ランプ１の誘導コイル２３を駆動可能な点灯装置となる電源ユニット３４を介して電気的に接続させてある。
【００６９】
このような照明器具３０では、無電極蛍光ランプ１の長時間の点灯などにより、照明器具３０の内部における無電極蛍光ランプ１の周囲温度の上昇に起因して、無電極蛍光ランプ１の内部の温度も上昇しやすい。しかしながら、上記実施形態１〜４を用いた無電極蛍光ランプ１は、無電極蛍光ランプ１の周囲温度が上昇したとしても、特定の多層構造の発光層６としていることにより、温度消光に起因する発光効率が低下することを抑制することが可能な照明器具３０とすることができる。
【符号の説明】
【００７０】
１  無電極蛍光ランプ
２  バルブ
３  外殻部
４  凹部
５  管状部
６  発光層
１５  断熱層
２５  誘導コイル
３０  照明器具
６１  第一の蛍光体被膜
６２  第二の蛍光体被膜
６３  第三の蛍光体被膜
【図１】
2010198878.tif 000004
【図２】
2010198878.tif 000005
【図３】
2010198878.tif 000006
【図４】
2010198878.tif 000007
【図５】
2010198878.tif 000008
【図６】
2010198878.tif 000009